(57)【要約】【課題】厚さを薄くしても円滑にルーバー羽根を回動させてルーバーの開閉を行うことが可能な雨戸を提供する。【解決手段】上桟１１、下桟１２、左右の縦框１３、１４で構成される枠体の内部に、複数のルーバー羽根４９ａ、４９ｂ、…により形成され、開閉可能に構成されたルーバー４９を具備する雨戸において、ルーバー羽根の端部には、ルーバー羽根固定部と該ルーバー羽根固定部の端部から外方に突出する軸部と該軸部のさらに外方に該軸部から離隔して設けられた接触子とを備えた端部ピースが備えられ、さらに軸部を回動自在に受け容れる縦框を備え、縦框内部には接触子が配置されるとともに該接触子を受け容れるカム溝を備えた連動部材４６が設けられ、ルーバーの開動作開始点において接触子は軸より上方に配置されるとともに、前記カム溝は、前記軸部から前記接触子への方向と同方向に所定の傾斜を有し、開動作が進行した位置においては所定の傾斜が緩やかになるように形成され、連動部材の上下動により、接触子を介してルーバー羽根が回動されてルーバーの開閉が行われるように構成する。【選択図】      図４
2005016047.tif 000002
【特許請求の範囲】
【請求項１】
上桟、下桟、左右の縦框で構成される枠体の内部に、複数のルーバー羽根により形成され、開閉可能に構成されたルーバーを具備する雨戸であって、
前記ルーバー羽根の端部には、ルーバー羽根固定部と該ルーバー羽根固定部の端部から外方に突出する軸部と該軸部のさらに外方に該軸部から離隔して設けられた接触子とを備えた端部ピースが備えられ、
さらに前記軸部を回動自在に受け容れる縦框を備え、前記縦框内部には前記接触子が配置されるとともに該接触子を受け容れるカム溝を備えた連動部材が設けられ、
前記ルーバーの開動作開始点において前記接触子は前記軸より上方に配置されるとともに、前記カム溝は、前記軸部から前記接触子への方向と同方向に所定の傾斜を有し、前記開動作が進行した位置においては前記所定の傾斜が緩やかになるように形成され、
前記連動部材の上下動により、前記接触子を介して前記ルーバー羽根が回動されて前記ルーバーの開閉が行われる雨戸。
【発明の詳細な説明】
【０００１】
【発明の属する技術分野】
本発明は、可動式ルーバーを備えた雨戸に関する。
【０００２】
【従来の技術】
従来のこの種の可動式ルーバーを備えた雨戸としては、枠体内に複数枚のルーバー羽根を配置して、かつ該ルーバー羽根に回動操作機構を設け、ルーバー羽根を一斉に任意の角度に開閉することが可能とされたものが特許文献１〜４等により公知とされている。
【特許文献１】
実開平２−２７４９５号公報
【特許文献２】
実開昭５５−９６２９３号公報
【特許文献３】
実開昭６１−２５４８７号公報
【特許文献４】
特許３１００９９０号公報
【０００３】
【発明が解決しようとする課題】
上記特許文献に開示されている雨戸は、その厚さについて従来の技術を踏襲しており、その厚さを前提としたサイズにおいてルーバーの円滑な開閉を可能とする開閉機構が構築されていた。しかし従来の厚さを有する雨戸を使用する場合、間口の広い開口部を有する建物にあっては戸袋が部厚くなって、見た目が悪くなるという問題があった。一方、ただ単純に雨戸を薄くしようとすると、ルーバーの開閉が円滑にできないという問題が生じる。
【０００４】
そこで、本発明は、厚さを薄くしても円滑にルーバー羽根を回動させてルーバーの開閉を行うことが可能な雨戸を提供することを課題とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
請求項１の発明は、上桟（１１）、下桟（１２）、左右の縦框（１３、１４）で構成される枠体の内部に、複数のルーバー羽根（４９ａ、４９ｂ、…）により形成され、開閉可能に構成されたルーバー（４９）を具備する雨戸（１０）であって、ルーバー羽根の端部には、ルーバー羽根固定部（７１）と該ルーバー羽根固定部の端部から外方に突出する軸部（７２）と該軸部のさらに外方に該軸部から離隔して設けられた接触子（７３）とを備えた端部ピース（５１）が備えられ、さらに軸部を回動自在に受け容れる縦框（４２）を備え、縦框内部には接触子が配置されるとともに該接触子を受け容れるカム溝（６５ａ、６５ｂ、…）を備えた連動部材（４６）が設けられ、ルーバーの開動作開始点において接触子は軸より上方に配置されるとともに、前記カム溝は、前記軸部から前記接触子への方向と同方向に所定の傾斜を有し、開動作が進行した位置においては所定の傾斜が緩やかになるように形成され、連動部材の上下動により、接触子を介してルーバー羽根が回動されてルーバーの開閉が行われる雨戸を提供して前記課題を解決する。
【０００７】
この請求項１に記載の発明によれば、端部ピースの接触子は連動部材のカム溝とカム機構を形成しており、該カム機構を介して端部ピースが連動部材と連結されているので、端部ピースが連動部材とリンク機構により連結されている場合よりもコンパクトな構成とすることができ、薄手の雨戸であっても縦框内にルーバー開閉機構を納めることが可能である。また、ルーバーの開動作開始点において接触子は軸より上方に配置されるとともに、カム溝の形状は正面視上、軸部から接触子への方向が水平面となす傾斜と同じ方向に所定の傾斜を有し、開動作が進行した位置においては前記所定の傾斜が緩やかになるように形成されているので、ルーバーの開閉動作に大きな力を要することなく、操作開始点から終了点まで滑らかに変化させることができる。
【０００８】
本発明のこのような作用及び利得は、次に説明する実施の形態から明らかにされる。
【０００９】
【発明の実施の形態】
以下本発明を図面に示す実施形態に基づき説明する。
【００１０】
図１は、本発明の雨戸を窓に適用した一例を示す正面図である。かかる雨戸１０は、通常窓として建物開口部に設けられた枠体内部に取り付けられたガラス障子等の室外側にこれら障子の枚数と同数設置される。これら雨戸１０は、使用しないときには上記開口部側方に設けられた戸袋内に収容し、防犯あるいは風雨等を避ける必要などに応じて戸袋内から引き出して、開口部に横一列に配置することができる。
【００１１】
図１に示されるように、雨戸１０は、上桟１１、下桟１２、左外縦框１３、及び右外縦框１４の４辺で構成される枠体の内部に、上下に２箇所設けられた非可動部Ｆ１、Ｆ２と、これら非可動部の間に配置された可動部Ｍとを備えている。
【００１２】
図２（ａ）は図１におけるＩＩＡ−ＩＩＡ線に沿った水平断面図、（ｂ）は図１におけるＩＩＢ−ＩＩＢ線に沿った水平断面図である。すなわち、図１（ａ）は非可動部Ｆ１の、（ｂ）は可動部Ｍの夫々の水平断面を表す図である。非可動部Ｆ１、およびＦ２においては左右の外縦框１３、１４に狭持されるように板状のアルミ形材２１が取り付けられている。一方、可動部Ｍは、左右の外縦框１３、１４のさらに内側のそれぞれに内縦框４２、４３が配置され、これら左右の内縦框４２、４３に狭持されるように複数のルーバー羽根の集合であるルーバー４９が設けられている。
【００１３】
図３は、図１におけるＩＩＩ−ＩＩＩ線に沿った垂直断面図である。この図においては、雨戸１０の上段に非可動部Ｆ１、中段に可動部Ｍ、下段に非可動部Ｆ２が表されている。上段の非可動部Ｆ１の上端には雨戸１０の上桟１１が、下段の非可動部Ｆ２の下端には雨戸１０の下桟１２が配置されている。可動部Ｍの上下には、上部中桟４１と下部中桟４４とが取り付けられている。上部中桟４１と下部中桟４４との間には、ルーバー羽根４９ａ〜４９ｇが取り付けられている。図３においてはルーバー羽根の取り付け枚数は７枚で表されている。これら７枚のルーバー羽根４９ａ〜４９ｇがルーバー４９を形成している。各ルーバー羽根４９ａ〜４９ｇは、後述するようにその両端部において、左右の内縦框４２、４３に回動自在に取り付けられている。図３においては各ルーバー羽根４９ａ〜４９ｇの垂直断面長手方向が上下に配置され、この状態ではルーバー４９は「閉」の姿勢にある。図３では最上部のルーバー羽根４９ａのみルーバー４９が「開」状態とされる姿勢も同時に示されている。この姿勢ではルーバー羽根４９ａの垂直断面長手方向は略水平となる。
【００１４】
なお、本明細書で説明する雨戸１０のルーバー羽根の数は、各図において異なっている。例えば、図１においては２２枚、図３においては７枚、以下に説明する図４においては１０枚のルーバー羽根が表されているが、これらの差異は無視して、各図の雨戸１０は同一のものとして説明する。
【００１５】
図４は、可動部Ｍの分解斜視図である。図４の斜視図において、紙面右上部が可動部Ｍの上方、左下部が下方を表している。可動部Ｍは、上部中桟４１と、左内縦框４２と、右内縦框４３と、下部中桟４４とにより四辺の枠が構成されている。これら４辺の枠４１〜４４は、ビス５５ａ〜５５ｄにより固定されている。
【００１６】
下部中桟４４上には下部中桟カバー４５が取り付けられている。左内縦框４２の内部には、連動バー４６が配置され、外部側方は左内縦框カバー４７で覆われている。右内縦框４３の内部に連動バーは配置されておらず、外部側方は右内縦框カバー４８で覆われている。左右のうち縦框カバー４７、４８の外側面は左右の外縦框１３、１４の内側に配置されている。
【００１７】
本実施形態の雨戸１０の可動部Ｍには、１０枚のルーバー羽根４９ａ〜４９ｊが設けられ、これらによりルーバー４９が構成されている。各ルーバー羽根の両端部には後述する端部ピース５１ａ、５１ｂが取り付けられている（図５参照）。各端部ピース５１ａ、５１ｂにはこれも後述する軸部７２が設けられており（図７参照）、各軸部は左右の内縦框４２、４３の内方側に設けられた軸収容部４２ａ〜４２ｊ、４３ａ〜４３ｊに嵌入されて回動自由とされている。
【００１８】
下部中桟４４には、操作部５６が設けられている。操作部５６のつまみを操作することにより連動バー４６が上下動されるように構成されている。
【００１９】
図５は、各ルーバー羽根の分解斜視図である。ここでは最上部のルーバー羽根４９ａが表されている。ルーバー羽根４９ａは、ルーバー羽根本体５０と、ルーバー羽根本体５０の両端に取り付けられる端部ピース５１ａ、５１ｂと、ルーバー羽根本体５０の下端部に取り付けられ断面が「Ｔ」字状の気密材５２とを備えている。ルーバー羽根本体５０は中空の鞘構造をなしており、該中空部に端部ピース５１ａ、５１ｂの後述するルーバー羽根固定部７１（図７参照）が嵌入されることによって、ルーバー羽根本体５０とその両端の端部ピース５１ａ、５１ｂとが一体に固定される。
【００２０】
気密材５２の先端は閉鎖の姿勢における組み立て状態においてルーバー羽根４９ａの下端に配置され、直下のルーバー羽根４９ｂの上端に接している。かかる構成によって「閉」の状態において、各ルーバー羽根間の気密作用が奏せられることにより、ルーバー開閉音などの雑音や塵埃等が室内側に侵入するのを防止することができる。なお、以降の説明において端部ピース５１ａ、５１ｂの左右を区別する必要のないときは、参照符号「５１」を使用する。
【００２１】
図６は連動バー４６を示し、（ａ）は平面図、（ｂ）は正面図である。（ａ）に示されているように連動バー４６は、水平断面が「Ｔ」字型を呈しており、内縦框当接片６１と、溝カム形成片６２とからなる。内縦框当接片６１の一面側は、左内縦框４２の室内側内面に当接されている（必要ならば図２（ｂ）も参照）。溝カム形成片６２は、内縦框当接片６１の左内縦框４２への当接面とは反対側の面の中央部より、内縦框当接片６１に直交する方向にかつ内縦框当接片６１の全長にわたって形成されている。
【００２２】
溝カム形成片６２の内縦框当接片６１への取り付け側とは反対側には、ルーバー羽根の枚数と同数のカム溝６５ａ〜６５ｆが形成されている。カム溝６５ａ〜６５ｆは、内縦框当接片６１への取り付け側とは反対側に開口されている。カム溝６５ａ〜６５ｆの形状は本発明の特徴的部分である。これについては後に詳しく説明する。溝カム形成片６２の下部には後述する操作部５６の連結部８２が取り付けられるべき取り付け部６６が設けられている。
【００２３】
図７は端部ピースを示し、（ａ）は一側面側からの側面図、（ｂ）は正面図、（ｃ）は他の側面側からの側面図、（ｄ）は（ｂ）におけるＤ−Ｄ線に沿った断面図、（ｅ）は（ｂ）におけるＥ−Ｅ線に沿った断面図、（ｆ）は（ｂ）におけるＦ−Ｆ線に沿った断面図である。以下に図７（ａ）〜（ｆ）を参照しつつ端部ピース５１について説明する。端部ピース５１は、ルーバー羽根固定部７１と、ルーバー羽根固定部７１の一端側から外方に延在するように設けられた軸部７２と、軸部７２のさらに外方にアーム７４を介して設けられた接触子７３とを備えている。ルーバー羽根固定部７１は、上述したように鞘構造を有するルーバー羽根本体５０（図５参照）の両端部に受け容れられることによりルーバー羽根本体５０を一体に固定する。軸部７２は、主体が円筒状に形成されており、左右の内縦框４２、４３の内方側に設けられた軸収容部４２ａ〜４２ｊ、４３ａ〜４３ｊに回動自由に嵌入されて、これによって、ルーバー羽根４９ａ等は、左右の内縦框４２、４３に回動自由に取り付けられることになる。
【００２４】
接触子７３は、主体が円筒状に形成されていてこの円筒状の部分が連動バー４６のカム溝６５ａ〜６５ｆに収容される。これにより、連動バー４６のカム溝６５ａ〜６５ｆと各接触子７３とは、カム機構を形成している。
【００２５】
図８は操作部５６を示し、（ａ）はその側面図、（ｂ）は平面図である。操作部５６は、操作パネル８０上に操作つまみ８１を備えている。操作つまみ８１を図の右方向にスライドさせると操作パネル８０の外方に延設されている連結部８２が下方に移動する。操作つまみ８１を図の左方向にスライドさせると連結部８２は上方に移動する。連結部８２は連動バー４６の下端に設けられた取り付け部６６に固定されている。
【００２６】
次に図９を参照しつつ、ルーバー４９の開閉動作について説明する。図９はルーバー羽根４９ａ等の軌跡と連動バー４６の動きとの関係を示し、（ａ）は、ルーバー羽根４９ａ等が全閉の状態を示す図、（ｂ）はルーバー羽根４９ａ等が全閉、及び全開、並びにそれらの途中の段階を同時に示す図、（ｃ）は上部中桟４１のみの断面を示す図である。以下、最上部のルーバー羽根４９ａを例にとって説明を加える。
【００２７】
いま、ルーバー４９が全閉の状態において、操作部５６のつまみ８１を図８の右方向にスライドさせると、連結部８２は下方に移動して、左内框４２内の連動バー４６を引き下げる。連動バー４６が引き下げられると、連動バー４６に形成されたカム溝６５ａ内の接触子７３ａがカム溝に沿いつつ下方に移動される。このときの接触子７３ａの軌跡を示すのが図９（ｂ）の矢印であり、接触子７３ａは、参照符号７３ａ（１）〜（３）の位置へと順次移動される。
【００２８】
端部ピース５１ａは、左内框４２に回動可能に取り付けられた軸７２ａを中心に一方側はアーム７４ａを介して接触子７３ａが配置され、他方側にはアーム７４ａとは略反対方向にルーバー羽根固定部７１ａを介してルーバー羽根４９ａが取り付けられている。したがって、接触子７３ａが連動バー４６により図９（ｂ）に矢印で示される軌跡を移動する間に、軸７２ａを支点としてルーバー羽根４９ａは、参照符号４９ａ（１）〜（３）の位置へと順次姿勢を変化させる。すなわち連動バー４６の下降により、ルーバー羽根４９ａは、参照符号４９ａ（１）の「閉」の姿勢から参照符号４９ａ（３）の「開」の姿勢へと変化し、これによりルーバー４９は「閉」から「開」の状態とされる。
【００２９】
図１０は、ルーバー羽根が全閉状態から全開状態に至るまでの連動バー４６、軸７２、及び接触子７３の位置関係を連続的に示す図である。図面中央には横方向に同一水平高さを示すラインＨＬが描かれている。このラインを基準に、図面左側から順にルーバー羽根４９ａの閉状態からの回転角が、０°、５°、１０°、１５°、３０°、４５°、６０°、７５°、９０°に変化した時に対応する連動バー４６、軸７２、及び接触子７３の位置が示されている。本発明において、上記回転角０°の時点において接触子７３を下方に押圧する連動バー４６のカム溝６５の方向は、軸７２と接触子７３とを連結するアーム７４の方向と略同一に形成されている。そのため、カム溝が水平に形成されている場合と比較して、操作部５６のつまみ８１をスライドさせる力が小さくて済む。なお、本発明において、回転角０°における接触子７３を押圧するカム溝６５の角度は、上記アーム７４の角度と厳密に一致している必要はなく、水平面に対して同一方向に傾いていれば本発明の効果を得ることができる。
【００３０】
一方、カム溝６５にアームと同方向の傾きを設けることにより、初動の操作力を軽くすることができるが、回転角が大きくなる操作の後半に極端に操作力が大きくなることが判明している。この理由としてはカム溝６５に角度がつくことによって端部ピース５１は常に図１０における右方向への分力を受けることになり、接触子７３が水平より下方に回転してくると上記右方向への分力が端部ピース５１の回転を妨げることになるためであると考えられる。すなわち、原節たる連動バー４６のカム溝６５と、従節たる端部ピース５１の接触子７３とが構成する溝カム機構における圧力角が大きくなりすぎるためであると思われる。このため、操作後半においては接触子７３に押し下げる力だけを与えるためにカム溝６５の角度を水平に近い角度に戻した。このように、カム溝６５の角度を、回転角０°付近ではアームの傾きと同方向に、操作の後半においては上記傾きを水平側に近づけることにより、ルーバーの開閉に要する操作力を軽くして全体として大きな変動のないものとすることができる。
【００３１】
なお、上記の実施形態において、ルーバー羽根本体５０の両端に端部ピース５１ａ、５１ｂを設けて、左側の端部ピース５１ａのみを連動バー４６にて操作する例を示したが、連動バー４６及び操作部５６を左右にそれぞれ設けてもよい。また、左右のいずれか一方のみに連動バーを設ける場合、その反対側の端部ピースには接触子を設けなくともよい。雨戸を構成する各桟、框、ルーバー羽根は、アルミニウム、鋼、又は合成樹脂、もしくはこれらの材料を適宜組み合わせて使用することができる。
【００３２】
図１１は、本発明の雨戸の変形例を示し、（ａ）は可動部の大きさを代えて窓に適用した例、（ｂ）および（ｃ）はテラス開口部雨戸に適用した例を示す図である。これらの雨戸においても本発明を制限なく実施することができる。
【００３３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う雨戸もまた本発明の技術的範囲に包含されるものとして理解されなければならない。
【００３４】
【発明の効果】
以上に説明したように、請求項１に記載の発明によれば、端部ピースの接触子は連動部材のカム溝とカム機構を形成しており、該カム機構を介して端部ピースが連動部材と連結されているので、端部ピースが連動部材とリンク機構により連結されている場合よりもコンパクトな構成とすることができ、薄手の雨戸であっても縦框内にルーバー開閉機構を納めることが可能である。また、ルーバーの開動作開始点において接触子は軸より上方に配置されるとともに、カム溝の形状は正面視上、軸部から接触子への方向が水平面となす傾斜と同じ方向に所定の傾斜を有し、開動作が進行した位置においては前記所定の傾斜が緩やかになるように形成されているので、ルーバーの開閉動作に大きな力を要することなく、操作開始点から終了点まで滑らかに変化させることができる。
【図面の簡単な説明】
【図１】本発明の雨戸を窓に適用した一例を示す正面図である。
【図２】（ａ）は図１におけるＩＩＡ−ＩＩＡ線に沿った水平断面図、（ｂ）は図１におけるＩＩＢ−ＩＩＢ線に沿った水平断面図である。
【図３】図１におけるＩＩＩ−ＩＩＩ線に沿った垂直断面図である。
【図４】可動部の分解斜視図である。
【図５】各ルーバー羽根の分解斜視図である。
【図６】連動バーを示す（ａ）は平面図、（ｂ）は正面図である。
【図７】端部ピースを示す（ａ）は一側面側からの側面図、（ｂ）は正面図、（ｃ）は他の側面側からの側面図、（ｄ）は（ｂ）におけるＤ−Ｄ線に沿った断面図、（ｅ）は（ｂ）におけるＥ−Ｅ線に沿った断面図、（ｆ）は（ｂ）におけるＦ−Ｆ線に沿った断面図である。
【図８】操作部を示す、（ａ）は側面図、（ｂ）は平面図である。
【図９】ルーバー羽根の軌跡と連動バーの動きとの関係を示し、（ａ）は、ルーバー羽根が全閉の状態を示す図、（ｂ）はルーバー羽根が全閉、及び全開、並びにそれらの途中の段階を同時に示す図、（ｃ）は中桟のみの断面を示す図である。
【図１０】ルーバー羽根が全閉状態から全開状態に至るまでの連動バー、軸、及びカムの位置関係を連続的に示す図である。
【図１１】本発明の雨戸の変形例を示し、（ａ）は可動部の大きさを代えて窓に適用した例、（ｂ）および（ｃ）はテラス開口部雨戸に適用した例を示す図である。
【符号の説明】
１０  雨戸
４２  左内縦框（縦框）
４６  連動バー（連動部材）
４９ａ、４９ｂ、…  ルーバー羽根
５１  端部ピース
６５ａ、６５ｂ、…  カム溝
７１  ルーバー羽根固定部
７２  軸部
７３  接触子
【図１】
2005016047.tif 000003
【図２】
2005016047.tif 000004
【図３】
2005016047.tif 000005
【図４】
2005016047.tif 000006
【図５】
2005016047.tif 000007
【図６】
2005016047.tif 000008
【図７】
2005016047.tif 000009
【図８】
2005016047.tif 000010
【図９】
2005016047.tif 000011
【図１０】
2005016047.tif 000012
【図１１】
2005016047.tif 000013